(57)【要約】      （修正有）【課題】曲げ強度が高く、大規模な空間装飾や建築構造材としても適する頑丈で堅牢かつ強靱なステンドグラス構造体を提供する。【解決手段】第１補強枠４、第２補強枠６および補強リブ９を設けた上に、これら三者をともにステンレス鋼により形成したので、第１ステンドグラス２と第２ステンドグラス３とが大幅に補強される。このため、第１ステンドグラス２と第２ステンドグラス３とを有するステンドグラス構造体１は、曲げ強度が高くなる一方、大規模な空間装飾や建築構造材としても適する頑丈で堅牢かつ強靱となる。対向空間Ｓｐには乾燥空気を空気層として封入しているので、第１ステンドグラス２や第２ステンドグラス３に結露が生じることがなく、汚れや染みの原因にならず衛生的でもある。【選択図】図２
0003189424.tif 000002
【実用新案登録請求の範囲】
【請求項１】
所定の対向空間を互いに隔てて突き合わされる第１ステンドグラスと第２ステンドグラスと、
前記第１ステンドグラスに一桟面部がコーキング材により取り付けられたステンレス鋼製の第１補強枠と、
前記第２ステンドグラスに一桟面部がコーキング材により取り付けられて前記第１補強枠と連通するステンレス鋼製の第２補強枠と、
前記第１補強枠と前記第２補強枠とは、互いの他桟面部がコーキング材により密着状態に重ね合わされていることと、
適宜の形状に造作され、周縁部を前記第１補強枠と前記第２補強枠との間に挟持させたステンレス鋼製の補強リブと、
前記補強リブにコーキング材により取り付けられた色彩付きのステンドグラス辺部とを備え、
前記第１ステンドグラスと前記第２ステンドグラスとを前記第１補強枠、前記第２補強枠、前記補強リブおよび前記ステンドグラス辺部を介してコーキング材により密着させて気密に接合するとともに、前記対向空間に乾燥空気を封入していることを特徴とするステンドグラス構造体。
【請求項２】
前記第１補強枠には複数の第１突部を形成し、前記第１ステンドグラスには前記第１突部に嵌合する位置決め用の複数の第１孔部を設け、前記第２補強枠には複数の第２突部を形成し、前記第２ステンドグラスには前記第２突部に嵌合する位置決め用の複数の第２孔部を設けたことを特徴とする請求項１に記載のステンドグラス構造体。
【請求項３】
前記第１ステンドグラス、前記第２ステンドグラス、前記第１補強枠および前記第２補強枠はそれぞれ矩形状を成し、前記第１補強枠は前記第１ステンドグラスの隅角部に嵌合するアングル状の第１鉤部を形成し、前記第２補強枠は前記第２ステンドグラスの隅角部に嵌合するアングル状の第２鉤部を形成していることを特徴とする請求項１に記載のステンドグラス構造体。
【請求項４】
前記第１補強枠には、前記第１ステンドグラスに吸着する複数の第１吸盤を形成し、前記第２補強枠には、前記第２ステンドグラスに吸着する複数の第２吸盤を形成したことを特徴とする請求項１に記載のステンドグラス構造体。
【考案の詳細な説明】
【技術分野】
【０００１】
本考案は、建物や空間装飾用のステンドグラス構造体に係り、とりわけ強度の高い頑丈で強靱な建造物に適用可能なステンドグラス構造体に関する。
【背景技術】
【０００２】
ステンドグラスの曲げ強度は一般に弱いため、全体を補強して頑強にする補強手段を講じている。このうち、例えば、特許文献１に開示されたステンドグラスには、平面フレームの一側縁と他側縁とを連絡する経路に帯状の補強桟材を選択的に掛け渡し、各ガラス材の隙間に接着剤を充填している。ステンドグラスを路上に配置した場合、自転車や人間が通行したも耐えられる十分な強度を持たせている。
【先行技術文献】
【特許文献】
【０００３】
【特許文献１】特開平７−８２９６１号公報
【考案の概要】
【考案が解決しようとする課題】
【０００４】
特許文献１のステンドグラスは、空間装飾や路上配置として適している。しかしながら、建造物の大規模な窓や構造部材として、ステンドグラスに大きな荷重を負担させるに十分な強固さや堅牢性を持たせるには改良の余地があった。
【０００５】
本考案は上記事情に鑑みてなされたもので、その目的は、曲げ強度を高くさせるととともに、大規模な空間装飾や建築構造材としても適する頑丈で堅牢かつ強靱なステンドグラス構造体を提供することにある。
【課題を解決するための手段】
【０００６】
（請求項１について）
第１ステンドグラスと第２ステンドグラスとは、所定の対向空間を隔てて互いに突き合わされている。ステンレス鋼製の第１補強枠は、その一桟面部を第１ステンドグラスにコーキング材により取り付けている。ステンレス鋼製の第２補強枠は、その一桟面部を第２ステンドグラスにコーキング材により取り付けている。
第１補強枠と第２補強枠とは、互いの他桟面部がコーキング材により密着状態に重ね合わされている。ステンレス鋼製の補強リブは、適宜の形状に造作され、その周縁部を第１補強枠と第２補強枠との間に挟持させている。色彩付きのステンドグラス辺部は、補強リブにコーキング材により取り付けられている。
第１ステンドグラスと第２ステンドグラスとは、第１補強枠、第２補強枠、補強リブおよびステンドグラス辺部を介してコーキング材により密着して気密に接合されている。第１ステンドグラスと第２ステンドグラスとの間に介在する対向空間には、乾燥空気を封入している。
【０００７】
請求項１では、第１補強枠、第２補強枠および補強リブを設けた上に、これら三者をともにステンレス鋼により形成している。このため、第１ステンドグラスと第２ステンドグラスとが大幅に補強される。よって、第１ステンドグラスと第２ステンドグラスとを有するステンドグラス構造体は、曲げ強度が高くなる一方、大規模な空間装飾や建築構造材としても適する頑丈で堅牢かつ強靱な構造体となる。
また、対向空間には乾燥空気を封入しているので、ステンドグラス構造体体の内外温度差に起因する結露が第１ステンドグラスや第２ステンドグラスに生じることがなく、汚れや染みの原因にならず衛生的でもある。
【０００８】
（請求項２について）
第１補強枠には複数の第１突部を形成し、第１ステンドグラスには第１突部に嵌合する位置決め用の複数の第１孔部を設けている。第２補強枠には複数の第２突部を形成し、第２ステンドグラスには第２突部に嵌合する位置決め用の複数の第２孔部を設けている。
【０００９】
請求項２では、第１突部を第１孔部に嵌合することにより、第１ステンドグラスに対する第１補強枠の位置決めがなされるので、第１補強枠を第１ステンドグラスに素早く組み付けることができて組付け性が向上する。また、第２突部を第２孔部に嵌合することにより、第２ステンドグラスに対する第２補強枠の位置決めがなされるので、第２補強枠を第２ステンドグラスに素早く組み付けることができて組付け性が向上する。
【００１０】
（請求項３について）
第１ステンドグラス、第２ステンドグラス、第１補強枠および第２補強枠はそれぞれ矩形状を成している。第１補強枠は第１ステンドグラスの隅角部に嵌合するアングル状の第１鉤部を形成している。第２補強枠は第２ステンドグラスの隅角部に嵌合するアングル状の第２鉤部を形成している。
請求項３では、第１鉤部を第１ステンドグラスの隅角部に嵌合することにより、第１補強枠を第１ステンドグラスに位置決めして素早く取り付けることができる。また、第２鉤部を第２ステンドグラスの隅角部に嵌合することにより、第２補強枠を第２ステンドグラスに位置決めして素早く取り付けることができる。
【００１１】
（請求項４について）
第１補強枠には、第１ステンドグラスに吸着する複数の第１吸盤を形成している。第２補強枠には、第２ステンドグラスに吸着する複数の第２吸盤を形成している。
【００１２】
請求項４では、第１吸盤を第１ステンドグラスに吸着させることにより、第１補強枠を第１ステンドグラスに素早く仮保持させることができる。また、第２吸盤を第２ステンドグラスに吸着させることにより、第２補強枠を第２ステンドグラスに素早く仮保持させることができる。第１補強枠および第２補強枠の仮保持により、第１ステンドグラスと第２ステンドグラスとの突合せ操作が簡単で楽になり、両者を迅速に重ね合せて接合することができて組立て作業性の向上に資する。
【図面の簡単な説明】
【００１３】
【図１】ステンドグラス構造体の斜視図である（実施例１）。
【図２】ステンドグラス構造体の分解斜視図である（実施例１）。
【図３】ステンドグラス構造体の縦断面図である（実施例１）。
【図４】ステンドグラス構造体の縦断面図である（実施例２）。
【図５】ステンドグラス構造体の分解斜視図である（実施例３）。
【図６】ステンドグラス構造体の分解斜視図である（実施例４）。
【実施例】
【００１４】
〔実施例１の構成〕
図１ないし図３は本考案の実施例１を示す。
本考案に係るステンドグラス構造体１は、図１に示すように、矩形の板ガラス（ＦＬ−３〜ＦＬ−６）から形成されている。ステンドグラス構造体１は、互いに近接状態に配設された第１ステンドグラス２と第２ステンドグラス３とを備えている。第１ステンドグラス２と第２ステンドグラス３とは、とりわけ図２および図３に示すように、所定の対向空間Ｓｐを隔てて互いに突き合わされている。
【００１５】
第１補強枠４はステンレス鋼製で矩形を成し、その一桟面部４ａを第１ステンドグラス２にコーキング材５により取り付けている（図２、図３参照）。第２補強枠６も第１補強枠４と同様にステンレス鋼製で矩形を成し、その一桟面部６ａを第２ステンドグラス３にコーキング材７により取り付けている（図２、図３参照）。第１補強枠４と第２補強枠６とは、互いの他桟面部４ｂ、６ｂがコーキング材８により密着状態に重ね合わされている。
【００１６】
補強リブ９はステンレス鋼製で厚みを０．５ｍｍ〜１．５ｍｍとして、組立梁構造といったように、適宜のビーム形状に造作されて対向空間Ｓｐ内に張り巡らされている。補強リブ９の周縁部９Ｂは、第１補強枠４と第２補強枠６との間に挟持されている。補強リブ９で形成された閉ループ内には、色彩付きのステンドグラス辺部７ａ〜７ｈがコーキング材９Ａにより取り付けられている。ステンドグラス辺部７ａ〜７ｈは、厚みを３．０ｍｍから４．０ｍｍとして適宜のステンドグラス文様を施している。
【００１７】
第１ステンドグラス２と第２ステンドグラス３とは、第１補強枠４、第２補強枠６、補強リブ９およびステンドグラス辺部７ａ〜７ｈを介してコーキング材５、７、８により密着して気密に接合されている。第１ステンドグラス２と第２ステンドグラス３との間に介在する対向空間Ｓｐには、乾燥空気を封入している。このようにして組み付けられたステンドグラス構造体１は、大規模な空間装飾や建築建造物としても使用される。
【００１８】
実施例１では、第１補強枠４、第２補強枠６および補強リブ９を設けた上に、これら三者をともにステンレス鋼により形成している。このため、第１ステンドグラス２と第２ステンドグラス３とが大幅に補強される。よって、第１ステンドグラス２と第２ステンドグラス３とを有するステンドグラス構造体１は、曲げ強度が高くなる一方、大規模な空間装飾や建築構造材としても適する頑丈で堅牢かつ強靱な構造体となる。
また、対向空間Ｓｐには乾燥空気を空気層として封入しているので、ステンドグラス構造体１の内外温度差に起因する結露が第１ステンドグラス２や第２ステンドグラス３に生じることがなく、汚れや染みの原因にならず衛生的でもある。
【００１９】
〔実施例２の構成〕
図４は本考案の実施例２を示す。実施例２が実施例１と異なるところは、第１ステンドグラス２に対する第１補強枠４の位置決め、並びに第２ステンドグラス３に対する第２補強枠６の位置決めができるようにしたことである。
すなわち、第１補強枠４には複数の第１突部４ａを形成し、第１ステンドグラス２には第１突部４ａに嵌合する位置決め用の複数の第１孔部２ａを設けている。第２補強枠６には複数の第２突部６ａを形成し、第２ステンドグラス３には第２突部６ａに嵌合する位置決め用の複数の第２孔部３ａを設けている。
【００２０】
実施例２では、第１突部４ａを第１孔部２ａに嵌合することにより、第１ステンドグラス２に対する第１補強枠４の位置決めが行われる。このため、第１補強枠４を第１ステンドグラス２に素早く組み付けることができて組付け性が向上する。また、第２突部６ａを第２孔部３ａに嵌合することにより、第２ステンドグラス３に対する第２補強枠６の位置決めがなされる。このため、第２補強枠６を第２ステンドグラス３に素早く組み付けることができて組付け性が向上する。
【００２１】
〔実施例３の構成〕
図５は本考案の実施例３を示す。実施例３が実施例１と異なるところは、第１補強枠４は第１ステンドグラス２の隅角部に嵌合するアングル状の第１鉤部１０を形成し、第２補強枠６は第２ステンドグラス３の隅角部に嵌合するアングル状の第２鉤部１１を形成したことである。
実施例３では、第１鉤部１０を第１ステンドグラス２の隅角部に嵌合することにより、第１補強枠４を第１ステンドグラス２に位置決めして素早く取り付けることができる。また、第２鉤部１１を第２ステンドグラス３の隅角部に嵌合することにより、第２補強枠６を第２ステンドグラス３に位置決めして素早く取り付けることができる。
【００２２】
〔実施例４の構成〕
図６は本考案の実施例４を示す。実施例４が実施例１と異なるところは、第１補強枠４には、第１ステンドグラス２に吸着する複数の第１吸盤１２を形成し、第２補強枠６には、第２ステンドグラス３に吸着する複数の第２吸盤１３を形成したことである。
【００２３】
実施例４では、第１吸盤１２を第１ステンドグラス２に吸着させることにより、第１補強枠４を第１ステンドグラス２に素早く仮保持させることができる。また、第２吸盤１３を第２ステンドグラス３に吸着させることにより、第２補強枠６を第２ステンドグラス３に素早く仮保持させることができる。第１補強枠４および第２補強枠６の仮保持により、第１ステンドグラス２と第２ステンドグラス３との突合せ操作が簡単で楽になり、両者を迅速に重ね合せて接合することができて組立て作業性の向上に資する。
【００２４】
〔変形例〕
（ａ）実施例１〜４における第１ステンドグラス２および第２ステンドグラス３は、矩形に限らず、方形、三角形、五角形、六角形や八角形など多角形であってもよい。
（ｂ）補強リブ９のステンドグラス辺部７ａ〜７ｈに付す彩模様や形状は、デザイナーなどの意思により所望に変更できるものである。
【産業上の利用可能性】
【００２５】
本考案のステンドグラス構造体では、第１補強枠、第２補強枠および補強リブを設けた上に、これら三者をともにステンレス鋼により形成したので、第１ステンドグラスと第２ステンドグラスとが大幅に補強される。よって、第１ステンドグラスと第２ステンドグラスとを有するステンドグラス構造は、曲げ強度が高くなる一方、大規模な空間装飾や建築構造材としても適する頑丈で堅牢な構造体となる。曲げ強度が高く、堅牢で強靱なステンドグラス構造体に着目して需要が増大し、ステンドグラス関連部品などの流通を介して化学・機械業界に適用することができる。
【符号の説明】
【００２６】
１          ステンドグラス構造体
２          第１ステンドグラス
２ａ        第１孔部
３          第２ステンドグラス
３ａ        第２孔部
４          第１補強枠
４ａ        第１突部
６          第２補強枠
６ａ        第２突部
７ａ〜７ｈ  ステンドグラス辺部
９          補強リブ
９Ｂ        補強リブの周縁部
１０        第１鉤部
１１        第２鉤部
１２        第１吸盤
１３        第２吸盤
３Ｃ        集合継手管
５、７、８、９Ａ  コーキング材
Ｓｐ        対向空間
【図１】
0003189424.tif 000003
【図２】
0003189424.tif 000004
【図３】
0003189424.tif 000005
【図４】
0003189424.tif 000006
【図５】
0003189424.tif 000007
【図６】
0003189424.tif 000008